(57)【要約】【課題】電話システムの電話機として無線電話機を用いる場合でも、各無線電話機に対して適切な表示制御を行う。【解決手段】制御装置７と基地局装置２との間に設けた電話機インターフェース装置１により、制御装置７からの制御コマンドのうち無線電話機５での可視表示または可聴表示に関する表示制御コマンドを、無線電話機５ごとに記憶部へＭＡＰ情報として展開し、そのＭＡＰ情報に基づく各表示状態の更新を指示する表示更新コマンドをそれぞれの無線電話機５へ配信する。【選択図】  図１
2006203698.tif 000002
【特許請求の範囲】
【請求項１】
通話回線を介して通話を行う複数の無線電話機と、これら無線電話機と各種制御コマンドをデータ伝送でやり取りすることにより前記無線電話機の動作を制御するとともに前記通話回線と前記無線電話機とを交換接続する制御装置と、前記制御装置からの制御コマンドを蓄積し無線伝送路を介して接続された前記無線電話機からのアクセスに応じて蓄積しておいた制御コマンドを当該無線電話機へ送信する基地局装置とを有する電話システムに設けられ、前記制御装置と前記基地局装置との間でやり取りされる各種制御コマンドを中継転送する電話機インターフェース装置であって、
前記無線電話機ごとに当該無線電話機での可視表示または可聴表示の表示状態を示す表示状態情報を記憶する記憶部と、
前記制御装置からの制御コマンドのうち前記無線電話機での可視表示または可聴表示に関する表示制御コマンドを選択するコマンド選択部と、
このコマンド選択部で選択された表示制御コマンドの制御内容を前記無線電話機ごとに前記記憶部へ表示状態情報として展開するエミュレーション部と、
前記表示状態情報に基づき当該無線電話機における各表示状態の更新を指示する表示更新コマンドをそれぞれ対応する無線電話機へ配信する表示状態情報配信部と
を備えることを特徴とする電話機インターフェース装置。
【請求項２】
請求項１に記載の電話機インターフェース装置において、
前記表示状態情報配信部は、前記基地局装置に対して前記無線電話機が間欠的にアクセスする周期以上の周期で当該無線電話機へ前記表示更新コマンドを配信することを特徴とする電話機インターフェース装置。
【請求項３】
請求項１に記載の電話機インターフェース装置において、
前記記憶部は、前記無線電話機ごとに当該表示状態情報の更新有無を示すフラグ情報を記憶し、
前記エミュレーション部は、前記表示状態情報の更新に応じて対応するフラグ情報を更新ありに設定し、
前記表示状態情報配信部は、所定周期で前記記憶部のフラグ情報を検索し、更新ありを示すフラグ情報に対応する表示状態情報を前記表示更新コマンドで当該無線電話機へ配信するとともに、当該フラグ情報を更新なしに設定する
ことを特徴とする電話機インターフェース装置。
【請求項４】
請求項３に記載の電話機インターフェース装置において、
前記表示状態情報配信部は、前記フラグ情報を検索する際、所定周期ごとに前記無線電話機が属するいずれかのグループを順に選択し、そのグループに属する無線電話機のフラグ情報のみを検索することを特徴とする電話機インターフェース装置。
【請求項５】
請求項１に記載の電話機インターフェース装置において、
前記コマンド選択部で選択されなかった他の制御コマンドを当該制御コマンドの宛先である無線電話機へ転送するとともに、前記無線電話機からの制御コマンドを前記制御装置へ転送するコマンド転送部をさらに備えることを特徴とする電話機インターフェース装置。
【請求項６】
請求項５に記載の電話機インターフェース装置において、
前記コマンド選択部は、前記制御装置から前記表示制御コマンド以外の制御コマンドを受信した場合、その制御コマンド以降のすべての制御コマンドをリアルタイムで前記コマンド転送部から当該制御コマンドの宛先である無線電話機へ転送するリアルタイム動作を開始し、当該無線電話機からのリアルタイム動作解除要求に応じて当該リアルタイム動作を解除することを特徴とする電話機インターフェース装置。
【請求項７】
通話回線を介して通話を行う複数の無線電話機と、これら無線電話機と各種制御コマンドをデータ伝送でやり取りすることにより前記無線電話機の動作を制御するとともに前記通話回線と前記無線電話機とを交換接続する制御装置と、前記制御装置からの制御コマンドを蓄積し無線伝送路を介して接続された前記無線電話機からのアクセスに応じて蓄積しておいた制御コマンドを当該無線電話機へ送信する基地局装置とを有する電話システムに設けられ、前記制御装置と前記基地局装置との間でやり取りされる各種制御コマンドを中継転送する電話機インターフェース装置のコンピュータに、
前記無線電話機ごとに当該無線電話機での可視表示または可聴表示の表示状態を示す表示状態情報を記憶部で記憶する記憶ステップと、
前記制御装置からの制御コマンドのうち前記無線電話機での可視表示または可聴表示に関する表示制御コマンドを選択するコマンド選択ステップと、
このコマンド選択ステップで選択された表示制御コマンドの制御内容を前記無線電話機ごとに前記記憶部へ表示状態情報として展開するエミュレーションステップと、
前記表示状態情報に基づき当該無線電話機における各表示状態の更新を指示する表示更新コマンドをそれぞれ対応する無線電話機へ配信する表示状態情報配信ステップと
を実行させるプログラム。
【発明の詳細な説明】
【技術分野】
【０００１】
本発明は、電話機制御技術に関し、特に無線区間を介して接続する複数の無線電話機で通話回線の状態などの表示を行う電話機制御技術に関する。
【背景技術】
【０００２】
従来、通話回線を介して通話を行う複数の電話機と、これら通話回線と電話網とを交換接続する制御装置とからなる電話システムでは、制御装置と電話機との間で各種制御コマンドをデータ伝送でやり取りを行い電話機の動作を制御することにより、任意の電話機で電話網を用いた通話を実現するほか、通話回線の使用可否など通話回線や電話機に関する各種状態を、電話機に設けたＬＥＤやＬＣＤなどの表示部での可視表示、あるいはスピーカやブザーなどの音声出力部での可聴表示を行うものとなっている。
【０００３】
このような表示は、すべての利用者に各種状態を通知する必要があることから、実際に通話や通信を行っている電話機だけでなく、使用されておらず待ち受け状態（アイドル状態）にある電話機でも表示する必要があり、各種状態の変更に応じて制御装置から各電話機へ可視・可聴表示に関する表示制御コマンドが送信される。
この種の表示制御コマンドは、制御対象となるＬＥＤごとやＬＣＤでの表示内容ごとに、点灯、点滅、消灯、表示色などの表示内容の変化を個別に指示し、あるいはスピーカやブザーごとに、その音声出力のオン・オフや出力する音声種別などの表示内容の変化を指示するものとなっている。
【０００４】
一方、このような電話システムにおいて、電話機のポータビリティを高めるため、無線区間を介して電話機を制御装置に接続する構成が考えられる。例えば、電話機として無線通信を行うコードレス電話機などの無線電話機を用いるとともに、制御装置と無線電話機との間に１つ以上の基地局装置（アクセスポイント）を設け、この基地局装置で、有線伝送路を介して接続された制御装置からの制御コマンドを蓄積し無線伝送路を介して接続された無線電話機からのアクセスに応じて蓄積しておいた制御コマンドを当該無線電話機へ送信すればよい。また、基地局装置と無線電話機との間は、例えば無線ＬＡＮなどの無線通信方式を採用すればよい（例えば、引用文献１，２など参照）。
【０００５】
なお、出願人は、本明細書に記載した先行技術文献情報で特定される先行技術文献以外には、本発明に関連する先行技術文献を出願時までに発見するには至らなかった。
【特許文献１】特開２００１−２８５２９８号公報
【特許文献２】特開平１１−５５７４５号公報
【発明の開示】
【発明が解決しようとする課題】
【０００６】
しかしながら、このような従来技術では、各種状態の変更に応じて制御装置から各電話機へ送信される可視・可聴表示に関する表示制御コマンドが、制御対象ごとに直前表示内容から新たな表示内容への変化を個別に指示するものとなっているため、またこれら表示制御コマンドが制御対象ごとに個別に送信されるため、電話システムで用いる電話機が、コードレス電話機など、無線区間を介して制御装置とデータ伝送を行う無線電話機の場合、無線電話機の構成や動作にうまく適合しないという問題点があった。
【０００７】
例えば、表示制御コマンドが制御対象ごとに表示内容の変化を個別に指示するものとなっているため、無線区間でいずれかの表示制御コマンドに通信エラーが発生した場合、その前後の表示内容や表示内容と当該電話機の動作状態との間、さらには制御装置と無線電話機との間で矛盾が生じ、またこの矛盾を修正するが難しいという問題点があった。
また、電池で動作電源とする無線電話機が省電力のため、所定周期で無線通信部にだけ電源供給して基地局装置へアクセスし、制御装置からの制御コマンドを受信した場合にのみ無線電話機全体へ電源供給して当該制御コマンドを実行する正規動作を行う場合、上記従来技術によれば表示制御コマンドが制御対象ごとに個別に送信されるため、無線電話機において正規動作の頻度が高くなり、電力消費を効果的に削減できないという問題点があった。
【０００８】
本発明はこのような課題を解決するためのものであり、電話システムの電話機として無線電話機を用いる場合でも、各無線電話機に対して適切な表示制御を行うことができる電話機インターフェース装置およびプログラムを提供することを目的としている。
【課題を解決するための手段】
【０００９】
このような目的を達成するために、本発明にかかる電話機インターフェース装置は、通話回線を介して通話を行う複数の無線電話機と、これら無線電話機と各種制御コマンドをデータ伝送でやり取りすることにより無線電話機の動作を制御するとともに通話回線と無線電話機とを交換接続する制御装置と、制御装置からの制御コマンドを蓄積し無線伝送路を介して接続された無線電話機からのアクセスに応じて蓄積しておいた制御コマンドを当該無線電話機へ送信する基地局装置とを有する電話システムに設けられ、制御装置と基地局装置との間でやり取りされる各種制御コマンドを中継転送する電話機インターフェース装置であって、無線電話機ごとに当該無線電話機での可視表示または可聴表示の表示状態を示す表示状態情報を記憶する記憶部と、制御装置からの制御コマンドのうち無線電話機での可視表示または可聴表示に関する表示制御コマンドを選択するコマンド選択部と、このコマンド選択部で選択された表示制御コマンドの制御内容を無線電話機ごとに記憶部へ表示状態情報として展開するエミュレーション部と、表示状態情報に基づき当該無線電話機における各表示状態の更新を指示する表示更新コマンドをそれぞれ対応する無線電話機へ配信する表示状態情報配信部とを備えている。
【００１０】
この際、表示状態情報配信部で、基地局装置に対して無線電話機が間欠的にアクセスする周期以上の周期で当該無線電話機へ表示更新コマンドを配信するようにしてもよい。
【００１１】
また、記憶部で、無線電話機ごとに当該表示状態情報の更新有無を示すフラグ情報を記憶し、エミュレーション部で、表示状態情報の更新に応じて対応するフラグ情報を更新ありに設定し、表示状態情報配信部で、所定周期で記憶部のフラグ情報を検索し、更新ありを示すフラグ情報に対応する表示状態情報を表示更新コマンドで当該無線電話機へ配信するとともに、当該フラグ情報を更新なしに設定するようにしてもよい。
【００１２】
この際、表示状態情報配信部で、フラグ情報を検索する際、所定周期ごとに無線電話機が属するいずれかのグループを順に選択し、そのグループに属する無線電話機のフラグ情報のみを検索するようにしてもよい。
【００１３】
また、コマンド選択部で選択されなかった他の制御コマンドを当該制御コマンドの宛先である無線電話機へ転送するとともに、無線電話機からの制御コマンドを制御装置へ転送するコマンド転送部をさらに備えてもよい。
【００１４】
この際、コマンド選択部で、制御装置から表示制御コマンド以外の制御コマンドを受信した場合、その制御コマンド以降のすべての制御コマンドをリアルタイムでコマンド転送部から当該制御コマンドの宛先である無線電話機へ転送するリアルタイム動作を開始し、当該無線電話機からのリアルタイム動作解除要求に応じて当該リアルタイム動作を解除するようにしてもよい。
【００１５】
また、本発明にかかるプログラムは、通話回線を介して通話を行う複数の無線電話機と、これら無線電話機と各種制御コマンドをデータ伝送でやり取りすることにより無線電話機の動作を制御するとともに通話回線と無線電話機とを交換接続する制御装置と、制御装置からの制御コマンドを蓄積し無線伝送路を介して接続された無線電話機からのアクセスに応じて蓄積しておいた制御コマンドを当該無線電話機へ送信する基地局装置とを有する電話システムに設けられ、制御装置と基地局装置との間でやり取りされる各種制御コマンドを中継転送する電話機インターフェース装置のコンピュータに、無線電話機ごとに当該無線電話機での可視表示または可聴表示の表示状態を示す表示状態情報を記憶部で記憶する記憶ステップと、制御装置からの制御コマンドのうち無線電話機での可視表示または可聴表示に関する表示制御コマンドを選択するコマンド選択ステップと、このコマンド選択ステップで選択された表示制御コマンドの制御内容を無線電話機ごとに記憶部へ表示状態情報として展開するエミュレーションステップと、表示状態情報に基づき当該無線電話機における各表示状態の更新を指示する表示更新コマンドをそれぞれ対応する無線電話機へ配信する表示状態情報配信ステップとを実行させるようにしたものである。
【発明の効果】
【００１６】
本発明によれば、制御装置と基地局装置との間に設けられた電話機インターフェース装置により、制御装置からの制御コマンドのうち無線電話機での可視表示または可聴表示に関する表示制御コマンドを、無線電話機ごとに記憶部へ表示状態情報として展開し、その表示状態情報に基づく各表示状態の更新を指示する表示更新コマンドをそれぞれ対応する無線電話機へ配信するようにしたので、無線区間でいずれかの表示制御コマンドに通信エラーが発生した場合でも、その表示制御コマンドに応じた表示状態が、次の表示制御コマンドが発生した時点で表示状態情報として通知され、無線電話機の表示状態として反映される。
これにより、表示制御コマンドに通信エラーが発生した場合でも、その前後の表示内容や表示内容と当該電話機の動作状態との間、さらには制御装置と無線電話機との間で矛盾が生じても、その矛盾は一時的なものとなり、自動的にその矛盾が修正され、電話システム全体の信頼性が向上する。
【発明を実施するための最良の形態】
【００１７】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システムは、制御装置７、電話機インターフェース装置１、１つ以上の基地局装置２（２Ａ，２Ｂ…）、および複数の無線電話機５（５Ａ，５Ｂ，５Ｃ…）から構成されている。
【００１８】
電話システムにおいて、制御装置７は、ＶｏＩＰなどの複数の通話回線９を介して電話網８と接続されており、電話機インターフェース装置１は、専用の内線伝送路、シリアル通信回線（ＲＳ−２３２Ｃ）、ＬＡＮ、あるいはＵＳＢ（Universal Serial Bus）などの伝送路３Ａを介して制御装置７と接続されている。また、基地局装置２は、ＬＡＮあるいはＵＳＢなどの伝送路３Ｂを介して電話機インターフェース装置１と接続されており、無線電話機５は、無線区間である無線伝送路４（４Ａ，４Ｂ…）を介して基地局装置２と接続されている。
図１において、無線電話機５Ａ，５Ｂは、基地局装置２Ａの無線エリア６Ａ内に在圏しており、それぞれ無線伝送路４Ａ，４Ｂを介して基地局装置２Ａと接続されている。また、無線電話機５Ｃは、基地局装置２Ｂの無線エリア６Ｂに在圏しており、無線伝送路４Ｃを介して基地局装置２Ｂと接続されている。
【００１９】
制御装置７は、一般的な構内交換機（ＰＢＸ）やボタン電話装置における主装置に相当し、通話回線９を終端制御するとともに、無線電話機５と各種制御コマンドをデータ伝送でやり取りすることにより無線電話機５の動作状態を制御し、通話回線９と無線電話機５との間を交換接続して音声パケットを中継転送する。
基地局装置２は、無線ＬＡＮのアクセスポイント（ＡＰ）などの無線装置からなり、制御装置７と各無線電話機５との間でやり取りされる各種制御コマンドを中継転送する。特に、電話機インターフェース装置１を介して受け取った制御装置７からの制御コマンドを蓄積し、これら制御コマンドを無線電話機５からのアクセスに応じて当該無線電話機へ送信する。
【００２０】
無線電話機５は、コードレス電話機など通話機能を有する無線端末からなり、無線伝送路４、基地局装置２、伝送路３Ｂ、電話機インターフェース装置１、および伝送路３Ａを介して制御装置７との間で各種制御コマンドをデータ伝送でやり取りすることにより自端末の動作状態や表示状態を制御するとともに、利用者による操作を制御装置７へ通知し、制御装置７の通話回線９を介して電話網８に接続された任意の相手電話機（図示せず）と通話を行う。
【００２１】
特に、無線電話機５は、一般的な無線ＬＡＮなどの間欠受信機能を有する無線方式を用いた無線端末と同様に、基地局装置２の送信タイミングに応じた受信タイミングで無線通信部にのみ給電して起動する。そして、基地局装置２に蓄積されている制御コマンドを受信した場合は、無線電話機５全体に給電してその制御コマンドを実行する正規動作を行った後、無線通信部および無線電話機５全体への給電を停止して省電力動作へ移行する。
【００２２】
電話機インターフェース装置１は、制御装置７と各無線電話機５との間でやり取りされる各種制御コマンドを中継転送する装置である。
本実施の形態では、電話機インターフェース装置１において、制御装置７から送信された制御コマンドのうち無線電話機５での可視表示または可聴表示を制御する表示制御コマンドを、無線電話機５ごとに表示状態情報（以下、ＭＡＰ情報という）として記憶部に展開し、これらＭＡＰ情報に基づく各表示状態の更新を指示する表示更新コマンドをそれぞれ対応する無線電話機へ配信するようにしたものである。
【００２３】
［電話機インターフェース装置］
次に、図２を参照して、本発明の第１の実施の形態にかかる電話機インターフェース装置について詳細に説明する。図２は、本発明の第１の実施の形態にかかる電話機インターフェース装置の構成を示すブロック図である。
この電話機インターフェース装置１は、全体として通信機能を備えた情報処理端末からなり、制御装置インターフェース部（以下、制御装置Ｉ／Ｆ部という）１１、電話機インターフェース部（以下、電話機Ｉ／Ｆ部という）１２、記憶部１３、および制御部１４が設けられている。
【００２４】
制御装置Ｉ／Ｆ部１１は、所定の信号処理回路からなり、伝送路３Ａを介して制御装置７と接続し、制御装置７との間でデータ伝送を行う機能を有している。
電話機Ｉ／Ｆ部１２は、所定の信号処理回路からなり、伝送路３Ｂを介して各基地局装置２と接続し、これら基地局装置２との間でデータ伝送を行う機能を有している。
記憶部１３は、メモリやハードディスクなどの記憶装置からなり、制御部１４での制御コマンドの中継処理に用いる各種処理情報やプログラム１３Ｐを記憶する機能を有している。
プログラム１３Ｐは、制御装置Ｉ／Ｆ部１１や電話機Ｉ／Ｆ部１２などの入出力部を介して他の装置や記録媒体から記憶部１３へ予め格納される。
【００２５】
記憶部１３で記憶する主な処理情報としては、ＭＡＰ情報１３Ａとフラグ情報１３Ｂとがある。
ＭＡＰ情報（表示状態情報）１３Ａは、各無線電話機５での可視表示または可聴表示の表示状態を示す情報である。図３に、ＭＡＰ情報の構成例を示す。このＭＡＰ情報１３Ａは、各無線電話機５に固有の端末ＩＤと、無線電話機５に設けられたＬＥＤやＬＣＤなどの表示部で行う可視表示の各制御対象に関する表示状態や、スピーカやブザーなどの音声出力部で行う可聴表示の各制御対象に関する表示状態を示す情報との組から構成されている。
例えば、無線電話機５には、通話回線９ごとにその使用状態を示すＬＥＤなどのランプが設けられており、そのランプの点灯や点滅などの表示方法に関する情報やそのランプの表示色に関する情報がＭＡＰ情報１３Ａで管理される。
【００２６】
フラグ情報１３Ｂは、各無線電話機５のＭＡＰ情報に対する更新の有無を示す情報である。図４に、フラグ情報の構成例を示す。このフラグ情報１３Ｂは、各無線電話機５に固有の端末ＩＤと、当該無線電話機のＭＡＰ情報に対する更新の有無を示す更新フラグとの組から構成されている。この更新フラグは、制御装置７から受け取った新たな表示制御コマンドに基づき当該無線電話機のＭＡＰ情報１３Ａが更新された場合、対応する端末ＩＤの更新フラグが「更新あり」に設定され、ＭＡＰ情報１３Ａが配信された場合、対応する端末ＩＤの更新フラグが「更新なし」に設定される。
したがって、更新フラグのうち「更新あり」に設定されている端末ＩＤの無線電話機５では表示状態に変化があり、「更新なし」に設定されている端末ＩＤの無線電話機５では表示状態に変化がないと判断でき、更新フラグが「更新あり」に設定されている端末ＩＤのＭＡＰ情報１３Ａのみを対応する無線電話機に配信すればよいことになる。
【００２７】
制御部１４は、ＣＰＵなどのマイクロプロセッサとその周辺回路を有し、記憶部１３のプログラム１３Ｐを読み込んで実行することにより、上記ハードウェアとプログラムとを協働させて各種機能部を実現する。
制御部１４で実現される主な機能部としては、コマンド分配部１４Ａ、コマンド選択部１４Ｂ、エミュレーション部１４Ｃ、表示状態情報配信部１４Ｄ、およびコマンド転送部１４Ｅがある。コマンド選択部１４Ｂおよびエミュレーション部１４Ｃは、各無線電話機５に対応して並列的に設けられている。
【００２８】
コマンド分配部１４Ａは、制御装置Ｉ／Ｆ部１１で受信した制御装置７から制御コマンドをその宛先となる無線電話機５のコマンド選択部１４Ｂへ分配する機能を有している。
コマンド選択部１４Ｂは、コマンド分配部１４Ａから分配された制御コマンドのうち無線電話機での可視表示または可聴表示の表示制御に関する表示制御コマンドを選択して対応するエミュレーション部１４Ｃへ出力する機能と、表示制御コマンド以外のコマンドについてはその制御コマンドをコマンド転送部１４Ｅへ出力する機能とを有している。
エミュレーション部１４Ｃは、コマンド選択部１４Ｂからの表示制御コマンドに基づき仮想的に無線電話機の表示制御を行い、その表示状態に基づき記憶部１３のＭＡＰ情報１３Ａとして展開する機能と、ＭＡＰ情報１３Ａの更新に応じて記憶部１３のフラグ情報１３Ｂのうち当該無線電話機５に対応する更新フラグを「更新あり」に設定する機能とを有している。
【００２９】
表示状態情報配信部１４Ｄは、所定の周期で記憶部１３のフラグ情報１３Ｂから「更新あり」を示す更新フラグを検索する機能と、検索された更新フラグの無線電話機５に対応するＭＡＰ情報１３Ａを取得する機能と、取得したＭＡＰ情報１３Ａから当該無線電話機５宛の表示更新コマンドを生成して電話機Ｉ／Ｆ部１２へ出力することによりＭＡＰ情報を配信する機能とを有している。
コマンド転送部１４Ｅは、コマンド選択部１４Ｂから出力された制御コマンドを電話機Ｉ／Ｆ部１２を介して宛先となる無線電話機５へ転送する機能と、電話機Ｉ／Ｆ部１２を介して無線電話機５から受信した制御コマンドを制御装置Ｉ／Ｆ部１１を介して制御装置７へ転送する機能とを有している。
【００３０】
［コマンド受信処理］
次に、図５を参照して、本発明の第１の実施の形態にかかる電話システムの電話機インターフェース装置におけるコマンド受信処理について説明する。図５は、電話機インターフェース装置におけるコマンド受信処理を示すフローチャートである。
電話機インターフェース装置１の制御部１４は、制御装置Ｉ／Ｆ部１１による制御装置７から制御コマンドの受信に応じて、図５のコマンド受信処理を開始する。
【００３１】
まず、コマンド分配部１４Ａにより、制御装置Ｉ／Ｆ部１１で受信した制御装置７からの制御コマンドを、その制御コマンドに含まれる宛先情報に基づき対応する無線電話機５のコマンド選択部１４Ｂへ分配する（ステップ１００）。
次に、コマンド選択部１４Ｂにより、コマンド分配部１４Ａから分配された制御コマンドが無線電話機５での可視表示または可聴表示の表示制御に関する表示制御コマンドかどうか判断する（ステップ１０１）。
【００３２】
ここで、分配された制御コマンドが表示制御コマンドの場合（ステップ１０１：ＹＥＳ）、コマンド選択部１４Ｂは、当該表示制御コマンドを対応するエミュレーション部１４Ｃへ出力する（ステップ１０２）。
続いて、制御部１４は、エミュレーション部１４Ｃにより、コマンド選択部１４Ｂからの表示制御コマンドを記憶部１３のＭＡＰ情報１３Ａとして展開し（ステップ１０３）、記憶部１３のフラグ情報１３Ｂのうち当該無線電話機５に対応する更新フラグを「更新あり」に設定し（ステップ１０４）、一連のコマンド受信処理を終了する。
【００３３】
一方、ステップ１０１において、コマンド分配部１４Ａから分配された制御コマンドが表示制御コマンドではない場合（ステップ１０１：ＮＯ）、コマンド選択部１４Ｂは、その制御コマンドをコマンド転送部１４Ｅへ出力する（ステップ１０５）。
これに応じてコマンド転送部１４Ｅにより、当該制御コマンドが電話機Ｉ／Ｆ部１２を介してその宛先となる無線電話機５へ転送され（ステップ１０６）、一連のコマンド受信処理を終了する。
【００３４】
［ＭＡＰ配信処理］
次に、図６を参照して、本発明の第１の実施の形態にかかる電話システムの電話機インターフェース装置におけるＭＡＰ配信処理について説明する。図６は、電話機インターフェース装置におけるＭＡＰ配信処理を示すフローチャートである。
電話機インターフェース装置１の制御部１４は、制御装置Ｉ／Ｆ部１１による制御装置７からの制御コマンドの受信に応じて、図６のＭＡＰ配信処理を開始する。
【００３５】
まず、表示状態情報配信部１４Ｄにより、所定周期に基づく送信タイミングの到来が確認された場合（ステップ１１０：ＹＥＳ）、記憶部１３のフラグ情報１３Ｂから「更新あり」を示す更新フラグを検索する（ステップ１１１）。
ここで、「更新あり」を示す更新フラグが検索された場合（ステップ１１２：ＹＥＳ）、表示状態情報配信部１４Ｄにより、記憶部１３から当該更新フラグに対応する無線電話機５のＭＡＰ情報１３Ａを取得する（ステップ１１３）。
【００３６】
そして、そのＭＡＰ情報１３Ａから当該無線電話機５宛の表示更新コマンドを生成して電話機Ｉ／Ｆ部１２へ出力することによりＭＡＰ情報を配信し（ステップ１１４）、記憶部１３のフラグ情報１３Ｂのうち対応する更新フラグを「更新なし」に設定し（ステップ１１５）、上記ステップ１１１へ戻って次の更新フラグの検索を再開する。これにより、「更新あり」を示す更新フラグに対応する各無線電話機５に対してＭＡＰ情報が配信される。
その後、ステップ１１２において、「更新あり」を示す更新フラグが検索されなかった場合（ステップ１１２：ＮＯ）、ステップ１１０へ戻って次の送信タイミングの到来まで待機する。
【００３７】
［第１の実施の形態の動作］
次に、図７を参照して、本発明の第１の実施の形態にかかる電話システムの動作について説明する。図７は、本発明の第１の実施の形態にかかる電話システムの動作を示すシーケンス図である。
ここでは、無線電話機５Ａに対する表示制御コマンドが制御装置７から送信された場合であって、無線電話機５Ａに対してリアルタイム動作を行っていない場合を例として説明する。
【００３８】
制御装置７から送信された無線電話機５Ａに対する表示制御コマンドに応じて（ステップ２００）、電話機インターフェース装置１は前述したコマンド受信処理を開始し、その表示制御コマンドを無線電話機５Ａに対応するＭＡＰ情報１３Ａへ展開し（ステップ２０１）、フラグ情報１３Ｂの無線電話機５Ａに対応する更新フラグを「更新あり」に設定する（ステップ２０２）。
その後、送信タイミングの到来に応じて（ステップ２１０）、電話機インターフェース装置１は前述したＭＡＰ配信処理を開始し、記憶部１３のフラグ情報１３Ｂから「更新あり」を示す更新フラグを検索する（ステップ２１１）。
【００３９】
この際、ステップ２０２で無線電話機５Ａに対応する更新フラグが「更新あり」に設定されていることから、無線電話機５Ａに対応するＭＡＰ情報１３Ａを取得し（ステップ２１２）、そのＭＡＰ情報１３Ａを含む表示更新コマンドが無線電話機５Ａ宛に配信される（ステップ２１３）。
基地局装置２Ａは、伝送路３Ｂを介して電話機インターフェース装置１から無線電話機５Ａ宛の表示更新コマンドを受信して自装置内部の記憶部へ蓄積する（ステップ２１４）。
【００４０】
続いて、送信タイミングの到来に応じて（ステップ２２０）、基地局装置２Ａは当該無線エリア６Ａに在圏する無線電話機５Ａに対して送信動作の開始を示すビーコン信号を送信し（ステップ２２１）、このビーコン信号に対する無線電話機５Ａからの起動通知に応じて（ステップ２２２）、自装置内部の記憶部に蓄積されている無線電話機５Ａ宛の蓄積情報、ここでは表示更新コマンドを送信し（ステップ２２３）、次の送信タイミングの到来まで待機する。
無線電話機５Ａは、このようにして電話機インターフェース装置１からの表示更新コマンドを受信し、そのコマンドに含まれているＭＡＰ情報に基づき、自装置の可視表示および可聴表示の制御対象についてその表示状態の更新制御を行う（ステップ２２４）。
【００４１】
この後、無線電話機５Ａに対する表示制御コマンドが制御装置７から送信されなかった場合、無線電話機５Ａの更新フラグは「更新なし」のままとなる。したがって、次の送信タイミングの到来で（ステップ２３０）、更新フラグを検索した際に（ステップ２３１）、無線電話機５Ａの更新フラグが「更新なし」の場合（ステップ２３２）、ＭＡＰ情報の送信は不要と判断される（ステップ２３３）。
【００４２】
［第１の実施の形態の動作例］
次に、図８を参照して、本発明の第１の実施の形態にかかる電話システムの動作例について説明する。図８は、本発明の第１の実施の形態にかかる電話システムの動作例を示すシーケンス図である。
ここでは、基地局装置２Ａと無線電話機５Ａとの間の無線伝送路４Ａで通信エラーが発生した場合を例として説明する。
【００４３】
まず、制御装置７から無線電話機５Ａに対してランプ１に対する赤色点灯を指示する表示制御コマンドが送信された場合（ステップ３１０）、電話機インターフェース装置１は、伝送路３Ａを介してその表示制御コマンドを受信して、前述したコマンド受信処理によりその表示状態を無線電話機５ＡのＭＡＰ情報に展開し、送信タイミングの到来に応じて（ステップ３１１）、無線電話機５Ａ宛のＭＡＰ情報を伝送路３Ｂから基地局装置２Ａへ配信する（ステップ３１２）。
【００４４】
基地局装置２Ａは、そのＭＡＰ情報を受信して蓄積し、送信タイミングの到来に応じて（ステップ３１３）、無線電話機５Ａに対する蓄積情報の送信処理を行う。この際、何らかの理由で無線電話機５Ａとの間で通信エラーが発生した場合（ステップ３１４）、当該ＭＡＰ情報が無線電話機５Ａに届かないことから、ランプ１を赤色点灯に制御する表示制御が行われず、無線電話機５Ａでの表示状態に変化はない（ステップ３１５）。
【００４５】
その後、制御装置１から無線電話機５Ａに対して、ランプ２に対する赤色点滅を指示する表示制御コマンドが送信された場合（ステップ３２０）、電話機インターフェース装置１で、前述したコマンド受信処理によりその表示状態が無線電話機５ＡのＭＡＰ情報に展開される。
同様にして、制御装置１から無線電話機５Ａに対して、ランプ３に対する赤色点灯を指示する表示制御コマンドが送信された場合（ステップ３２１）、電話機インターフェース装置１で、前述したコマンド受信処理によりその表示状態が無線電話機５ＡのＭＡＰ情報に展開される。
【００４６】
その後、電話機インターフェース装置１は、送信タイミングの到来に応じて（ステップ３２２）、無線電話機５Ａ宛のＭＡＰ情報を表示更新コマンドにより伝送路３Ｂから基地局装置２Ａへ配信する（ステップ３２３）。
基地局装置２Ａは、その表示更新コマンドを受信して蓄積し、送信タイミングの到来に応じて（ステップ３２４）、無線電話機５Ａに対する蓄積情報の送信処理を行う。この際、蓄積情報が正常に無線電話機５Ａへ届いた場合（ステップ３２５）、無線電話機５Ａはその表示更新コマンドのＭＡＰ情報に基づき表示更新制御を行う（ステップ３２６）。これにより、ランプ２，３に対する表示制御だけでなくその前に通信エラーとなったランプ１に対する表示更新制御も行われ、無線電話機５Ａでの各表示状態が更新されて、その前後の表示内容や表示内容と当該電話機の動作状態との間、さらには制御装置７との間で表示状態が一致することになる。
【００４７】
このように、本実施の形態によれば、制御装置７と基地局装置２との間でやり取りされる各種制御コマンドを中継転送する電話機インターフェース装置１を設け、そのエミュレーション部１４Ｃにより、制御装置７からの制御コマンドのうち無線電話機５での可視表示または可聴表示に関する表示制御コマンドを無線電話機５ごとに記憶部１３のＭＡＰ情報１３Ａとして展開し、表示状態情報配信部１４Ｄにより、ＭＡＰ情報１３に基づく各表示状態の更新を指示する表示更新コマンドをそれぞれの無線電話機へ配信するようにしたので、無線区間でいずれかの表示制御コマンドに通信エラーが発生した場合でも、その表示制御コマンドに応じた表示状態が、次の表示制御コマンドが発生した時点でＭＡＰ情報として通知され、無線電話機の表示状態として反映される。
【００４８】
これにより、例えば表示制御コマンドに通信エラーが発生して、その前後の表示内容や表示内容と当該電話機の動作状態との間、さらには制御装置と無線電話機との間で矛盾が生じても、その矛盾は一時的なものとなり、自動的にその矛盾が修正される。特に、基地局装置２と無線電話機５との間の無線通信方式として無線ＬＡＮを用いた場合、通常、基地局装置２での送信タイミング間隔は１００ｍｓ程度であり、表示制御コマンドが連続して送信された場合、無線電話機５の表示状態における上記一時的な矛盾は、利用者が気づかないうちに修正できる。
【００４９】
なお、以上では、電話機インターフェース装置１での送信タイミングの到来に応じて、すべての無線電話機５を対象として更新フラグを検索する場合を例として説明したが、これに限定されるものではない。例えば、各無線電話機５を複数のグループに分割してフラグ情報で管理し、送信タイミングごとにいずれかのグループを順に選択して、そのグループに属する無線電話機５のみを検索対象としてもよい。
これにより、ＭＡＰ配信処理の処理対象を削減でき、すべての無線電話機５を処理対象としてＭＡＰ配信処理を行う場合と比較して、表示更新コマンドの配信が集中せず、スムーズに配信できる。
【００５０】
［第２の実施の形態］
次に、図９を参照して、本発明の第２の実施の形態にかかる電話システムについて説明する。図９は、本発明の第２の実施の形態にかかる電話システムの動作を示すシーケンス図である。
前述の第１の実施の形態では、無線電話機５での受信タイミングと電話機インターフェース装置１での送信タイミングとの関係については特定せずに説明した。本実施の形態では、無線電話機５での受信タイミングに比べて長い周期で、電話機インターフェース装置１がＭＡＰ情報を配信する場合を例として説明する。
【００５１】
図９において、無線電話機５Ａの受信タイミングは、基地局装置２の送信タイミングと同期した周期５Ｔであり、電話機インターフェース装置１での送信タイミングの周期Ｔ１は、無線電話機５Ａの受信タイミングの周期Ｔ５の２倍の周期となっている。なお、本実施の形態にかかる電話システムおよび電話機インターフェース装置１の構成については、前述した第１の実施の形態（図１，２参照）と同様であり、ここでの詳細な説明は省略する。
【００５２】
制御装置７から無線電話機５Ａに対してランプ１に対する赤色点灯を指示する表示制御コマンドが送信された場合（ステップ４００）、電話機インターフェース装置１は、伝送路３Ａを介してその表示制御コマンドを受信して、前述したコマンド受信処理によりその表示状態を無線電話機５ＡのＭＡＰ情報に展開する。
その後、周期Ｔ１に基づく送信タイミングの到来に応じて（ステップ４０１）、無線電話機５Ａ宛のＭＡＰ情報を表示更新コマンドにより伝送路３Ｂから基地局装置２Ａへ配信する（ステップ４０２）。
【００５３】
基地局装置２Ａは、その表示更新コマンドを受信して蓄積し、送信タイミングの到来に応じて（ステップ４０５）、ビーコン信号を送信し（ステップ４０６）、無線電話機５Ａに対する蓄積情報の送信処理を行う。この際、無線電話機５Ａで周期Ｔ５に基づく受信タイミングが到来していることから（ステップ４０７）、このビーコン信号に対して起動通知が返送されて基地局装置２Ａの蓄積情報が無線電話機５Ａに転送される。これにより、無線電話機５Ａで、受信したＭＡＰ情報に基づきランプ１を赤色点灯に制御する表示制御が行われる（ステップ４０８）。
なお、基地局装置２Ａと無線電話機５Ａとの間の無線伝送路４Ａで通信エラーが発生した場合でも、ＭＡＰ情報が基地局装置２Ａに蓄積されているため、次の送信タイミング、例えば後述のステップ４１５で基地局装置２Ａから無線電話機５ＡへＭＡＰ情報が送信される。
【００５４】
その後、制御装置７から無線電話機５Ａに対してランプ２に対する赤色点滅を指示する表示制御コマンドが送信された場合（ステップ４１０）、電話機インターフェース装置１は、伝送路３Ａを介してその表示制御コマンドを受信して、前述したコマンド受信処理によりその表示状態を無線電話機５ＡのＭＡＰ情報に展開する。
ここで、電話機インターフェース装置１での送信タイミングが到来する前に、基地局装置２Ａで送信タイミングが到来した場合（ステップ４１５）、基地局装置２Ａからビーコン信号が送信される（ステップ４１６）。
【００５５】
この際、無線電話機５Ａで周期Ｔ５に基づく受信タイミングが到来していることから（ステップ４１７）、このビーコン信号に対して起動通知が返送されるが基地局装置２Ａに無線電話機５Ａ宛の蓄積情報がないことから、無線電話機５Ａは表示制御を行わず（ステップ４１８）、次の受信タイミングの待機状態となる。
その後、電話機インターフェース装置１は、送信タイミングの到来に応じて（ステップ４２１）、無線電話機５Ａ宛のＭＡＰ情報を伝送路３Ｂから基地局装置２Ａへ配信する（ステップ４２２）。
【００５６】
基地局装置２Ａは、そのＭＡＰ情報を受信して蓄積し、送信タイミングの到来に応じて（ステップ４２５）、ビーコン信号を送信し（ステップ４２６）、無線電話機５Ａに対する蓄積情報の送信処理を行う。この際、無線電話機５Ａで周期Ｔ５に基づく受信タイミングが到来していることから（ステップ４２７）、このビーコン信号に対して起動通知が返送されて基地局装置２Ａの蓄積情報が無線電話機５Ａに転送される。これにより、無線電話機５Ａで、受信他ＭＡＰ情報に基づきランプ１を赤色点灯に制御する表示制御とランプ２を赤色点滅に制御する表示制御が行われる（ステップ４２８）。
【００５７】
このように、本実施の形態によれば、電話機インターフェース装置１の表示状態情報配信部１４Ｄで、基地局装置２に対して無線電話機５がアクセスする周期Ｔ５より長い周期で当該無線電話機のＭＡＰ情報を表示更新コマンドにより送信するようにしたので、無線電話機５での受信タイミングの周期長に比較して、表示制御が行われる間隔を長くすることができる。
【００５８】
本実施の形態にかかる無線電話機５は、一般的な無線ＬＡＮなどの間欠受信機能を有する無線方式を用いた無線端末と同様に、基地局装置２の送信タイミングに応じた受信タイミングで無線通信部にのみ給電して起動する。そして、基地局装置２に蓄積されている制御コマンドを受信した場合は、無線電話機５全体に給電してその制御コマンドを実行した後、無線通信部および無線電話機５全体への給電を停止して省電力動作へ移行する。また、制御コマンドを受信しなかった場合は、無線電話機５全体に給電せず、無線通信部への給電を停止して省電力動作へ移行する。
【００５９】
したがって、無線電話機５での受信タイミングの周期長に比較して、表示制御が行われる間隔を長くすることにより、受信タイミングの周期ごとに無線電話機５でＭＡＰ情報に基づく表示制御を行う場合と比較して、無線電話機５Ａでの表示制御に要する電力消費を低減できる。また、無線電話機５の間欠受信動作を変更することなく、電話機インターフェース装置１での送信タイミングを調整するだけで各無線電話機５での表示制御に要する電力消費を低減できる。
【００６０】
なお、図９では、基地局装置２の送信タイミングと無線電話機５の受信タイミングの周期が等しい場合を例として説明したが、無線電話機５によっては、基地局装置２の送信タイミングの周期より無線電話機５の受信タイミングの周期が長く、基地局装置２の送信タイミングの複数回に１回の割合で無線電話機５の受信タイミングが到来するスタンバイ動作を行う場合もある。しかし、このようなスタンバイ動作においても、前述と同様に本実施の形態を適用でき、同様の作用効果が得られる。
【００６１】
［第３の実施の形態］
次に、図１０を参照して、本発明の第３の実施の形態にかかる電話システムについて説明する。図１０は、本発明の第３の実施の形態にかかる電話機インターフェース装置でのコマンド受信処理を示すフローチャートであり、前述の図５と同じまたは同等部分には同一符号を付してある。
前述の第１の実施の形態では、電話機インターフェース装置１のコマンド選択部１４Ｂにおいて、コマンド分配部１４Ａから分配された制御コマンドが表示制御コマンドではない場合、その制御コマンドをコマンド転送部１４Ｅを介して無線電話機５へ転送する場合について説明した。
【００６２】
本実施の形態では、電話機インターフェース装置１において、制御装置７からのすべての制御コマンドをリアルタイムで無線電話機２へ転送するリアルタイム動作を設け、表示制御コマンド以外の制御コマンドを制御装置７から受信した場合は、リアルタイム動作を開始する場合について説明する。
本実施の形態にかかる電話機インターフェース装置１は、前述した第１の実施の形態にかかる機能部のうち、コマンド選択部１４Ｂとコマンド転送部１４Ｅとにリアルタイム動作に関する新たな機能が追加されている。なお、本実施の形態にかかる電話システムおよび電話機インターフェース装置１のその他の構成については、前述した第１の実施の形態（図１，２参照）と同様であり、ここでの詳細な説明は省略する。
【００６３】
コマンド選択部１４Ｂは、新たな機能として、表示制御コマンド以外の制御コマンドを受信した以降はコマンド分配部１４Ａから分配された制御コマンドをすべてリアルタイムでコマンド転送部１４Ｅへ出力するリアルタイム動作を開始する機能と、コマンド転送部１４Ｅからのリアルタイム動作開始要求やリアルタイム動作解除要求に応じて上記リアルタイム動作の開始や解除を行う機能とを有している。
コマンド転送部１４Ｅは、新たな機能として、電話機Ｉ／Ｆ部１２を介して無線電話機５から受信したリアルタイム動作開始要求やリアルタイム動作解除要求を当該無線電話機５に対応するコマンド選択部１４Ｂへ通知する機能とを有している。
【００６４】
電話機インターフェース装置１の制御部１４は、制御装置Ｉ／Ｆ部１１による制御装置７から制御コマンドの受信に応じて、図１０のコマンド受信処理を開始する。
まず、コマンド分配部１４Ａにより、制御装置Ｉ／Ｆ部１１で受信した制御装置７から制御コマンドをその宛先となる無線電話機５のコマンド選択部１４Ｂへ分配する（ステップ１００）。
【００６５】
次に、コマンド選択部１４Ｂにより、現在、リアルタイム動作中か判断し（ステップ１５０）、リアルタイム動作中でない場合（ステップ１５０：ＮＯ）、コマンド分配部１４Ａから分配された制御コマンドが無線電話機５での可視表示または可聴表示に関する表示制御を含む表示制御コマンドかどうか判断する（ステップ１０１）。
ここで、分配された制御コマンドが表示制御コマンドの場合（ステップ１０１：ＹＥＳ）、前述したステップ１０２〜１０４と同様の処理を行って、その表示制御コマンドを記憶部１３のＭＡＰ情報１３Ａとして展開し、更新フラグを「更新あり」に設定し、一連のコマンド受信処理を終了する。
【００６６】
一方、ステップ１０１において、コマンド分配部１４Ａから分配された制御コマンドが表示制御コマンドではない場合（ステップ１０１：ＮＯ）、リアルタイム動作を開始し（ステップ１５１）、コマンド選択部１４Ｂは、その制御コマンドをコマンド転送部１４Ｅへ出力する（ステップ１０５）、これに応じてコマンド転送部１４Ｅにより、当該制御コマンドが電話機Ｉ／Ｆ部１２を介して宛先となる無線電話機５へ転送され（ステップ１０６）、一連のコマンド受信処理を終了する。
【００６７】
また、ステップ１５０において、現在、リアルタイム動作中の場合（ステップ１５０）、ステップ１０５へ移行して、コマンド選択部１４Ｂにより、その制御コマンドをコマンド転送部１４Ｅへ出力する（ステップ１０５）、これに応じてコマンド転送部１４Ｅにより、当該制御コマンドが電話機Ｉ／Ｆ部１２を介して宛先となる無線電話機５へ転送され（ステップ１０６）、一連のコマンド受信処理を終了する。
【００６８】
この後、無線電話機５からのリアルタイム動作解除要求を電話機Ｉ／Ｆ部１２から受信した場合、コマンド転送部１４Ｅにより、当該無線電話機に対応するコマンド選択部１４Ｂへ通知し、このリアルタイム動作解除要求の通知に応じて、コマンド選択部１４Ｂにより、リアルタイム動作を解除する。
なお、無線電話機５からのリアルタイム動作開始要求を電話機Ｉ／Ｆ部１２から受信した場合、コマンド転送部１４Ｅにより、当該無線電話機に対応するコマンド選択部１４Ｂへ通知し、このリアルタイム動作開始要求の通知に応じて、コマンド選択部１４Ｂにより、リアルタイム動作を開始してもよい。
【００６９】
［第３の実施の形態の動作例］
次に、図１１および図１２を参照して、本発明の第３の実施の形態にかかる電話システムの動作について説明する。図１１は、本発明の第３の実施の形態にかかる電話システムの着信動作を示すシーケンス図である。図１２は、本発明の第３の実施の形態にかかる電話システムの発呼動作を示すシーケンス図である。
【００７０】
まず、図１１を参照して、本発明の第３の実施の形態にかかる電話システムの着信動作について説明する。
制御装置７から送信された無線電話機５Ａに対する着信コマンドに応じて（ステップ２４０）、電話機インターフェース装置１は前述したコマンド受信処理を開始し、その着信コマンドが表示制御コマンドでないことからリアルタイム動作を開始して（ステップ２４１）、その着信コマンドを含む以降の制御コマンドをリアルタイムで無線電話機５Ａ宛に転送する（ステップ２４２）。
基地局装置２Ａは、伝送路３Ｂを介して電話機インターフェース装置１から無線電話機５Ａ宛の表示更新コマンドを受信して自装置内部の記憶部へ蓄積する（ステップ２４３）。
【００７１】
続いて、送信タイミングの到来に応じて（ステップ２５０）、基地局装置２Ａは当該無線エリア６Ａに在圏する無線電話機５Ａに対して送信動作の開始を示すビーコン信号を送信し（ステップ２５１）、このビーコン信号に対する無線電話機５Ａからの起動通知に応じて（ステップ２５２）、自装置内部の記憶部に蓄積されている無線電話機５Ａ宛の蓄積情報を送信し（ステップ２５３）、次の送信タイミングの到来まで待機する。
無線電話機５Ａは、このようにして電話機インターフェース装置１からの着信コマンドを受信し、その着信コマンドに基づき自装置で着信表示を行い（ステップ２５４）、その後の利用者による応答操作に応じて（ステップ２５５）、制御装置７宛の応答コマンドを基地局装置２Ａへ送信する（ステップ２５６）。
【００７２】
基地局装置２Ａは、無線電話機５Ａからの応答コマンドを伝送路３Ｂを介して電話機インターフェース装置１へリアルタイムで転送し（ステップ２５７）、電話機インターフェース装置１は、その応答コマンドを伝送路３Ａを介して制御装置７へリアルタイムで転送する（ステップ２５８）。
この応答コマンドに応じて制御装置７から無線電話機５Ａ宛の表示制御コマンドが伝送路３Ａを介して電話機インターフェース装置１へ送信され（ステップ２５９）、電話機インターフェース装置１は、リアルタイム動作中であることから前述したコマンド受信処理に基づきその表示制御コマンドを伝送路３Ａを介して基地局装置２Ａへリアルタイムで転送し（ステップ２６０）、基地局装置２Ａは、送信タイミングの到来を待つことなくリアルタイムで表示制御コマンドを無線電話機５Ａへ転送する（ステップ２６１）。
【００７３】
これにより、制御装置７からの表示制御コマンドがリアルタイムで転送されて無線電話機５Ａに配信され、無線電話機５Ａは、その表示制御コマンドに基づき自装置で表示制御を行い（ステップ２６２）、当該着信の発呼相手電話機と制御装置７の通話回線９を介した通話を開始する（ステップ２６３）。
その後、発呼相手電話機の終話操作に応じた制御装置７からの切断コマンドが、前述した表示制御コマンドと同様にして、電話機インターフェース装置１、基地局装置２Ａを介してリアルタイムで無線電話機５Ａまで転送される（ステップ２７０〜２７２）。
【００７４】
無線電話機５Ａは、電話機インターフェース装置１に対して、この切断コマンドに応じてリアルタイム動作を解除するリアルタイム動作解除要求コマンドを基地局装置２Ａへ送信する（ステップ２７３）。
これに応じて、基地局装置２Ａは、無線電話機５Ａからのリアルタイム動作解除要求コマンドを伝送路３Ｂを介して電話機インターフェース装置１へリアルタイムで転送し（ステップ２７４）、電話機インターフェース装置１は、そのリアルタイム動作解除要求コマンドに応じて無線電話機５Ａに対するリアルタイム動作を終了する（ステップ２７５）。
【００７５】
次に、図１２を参照して、本発明の第３の実施の形態にかかる電話システムの発呼動作について説明する。
利用者による発呼要求操作に応じて（ステップ２８０）、無線電話機５Ａは、基地局装置２Ａからのビーコン信号の受信を待って（ステップ２８１）、起動通知を基地局装置２Ａへ送信し（ステップ２８２）、これに続けて、電話機インターフェース装置１に対して、リアルタイム動作の開始を要求するリアルタイム動作開始要求コマンドを基地局装置２Ａへ送信する（ステップ２８３）。
【００７６】
これに応じて、基地局装置２Ａは、無線電話機５Ａからのリアルタイム動作開始要求コマンドを伝送路３Ｂを介して電話機インターフェース装置１へリアルタイムで転送し（ステップ２８４）、電話機インターフェース装置１は、そのリアルタイム動作開始要求コマンドに応じて無線電話機５Ａに対するリアルタイム動作を開始する（ステップ２８５）。
【００７７】
その後、無線電話機５Ａは、ステップ２８０の発呼要求に応じた制御装置７宛の発呼コマンドを基地局装置２Ａへ送信し（ステップ２８６）、基地局装置２Ａは、無線電話機５Ａからの発呼コマンドを伝送路３Ｂを介して電話機インターフェース装置１へリアルタイムで転送し（ステップ２８７）、電話機インターフェース装置１は、その発呼コマンドを伝送路３Ａを介して制御装置７へリアルタイムで転送する（ステップ２８８）。
これにより、制御装置７は、通話回線９を介して通話網８に接続された相手先電話機へ発呼し、相手先電話機での応答に応じて、無線電話機５Ａ宛の応答コマンドが伝送路３Ａを介して電話機インターフェース装置１へ送信される（ステップ２９０）。
【００７８】
電話機インターフェース装置１は、リアルタイム動作中であることから前述したコマンド受信処理に基づきその応答コマンドを伝送路３Ａを介して基地局装置２Ａへリアルタイムで転送し（ステップ２９１）、基地局装置２Ａは、送信タイミングの到来を待つことなくリアルタイムで応答コマンドを無線電話機５Ａへ転送する（ステップ２９２）。
無線電話機５Ａは、この応答コマンドに応じて相手先電話機と制御装置７の通話回線９を介した通話を開始する（ステップ２９３）。
【００７９】
このように、本実施の形態では、電話機インターフェース装置１のコマンド選択部１４Ｂにより、制御装置７から無線電話機５に対する表示制御コマンド以外の制御コマンドを受信した場合、その制御コマンド以降の制御コマンドをリアルタイムでコマンド転送部１４Ｅから当該制御コマンドの宛先である無線電話機５へ転送するリアルタイム動作を開始し、当該無線電話機５からのリアルタイム動作解除要求に応じて当該リアルタイム動作を解除するようにしたので、リアルタイムで制御コマンドの中継転送が求められる場合には、コマンド選択部１４Ｂにおける表示制御コマンドの選択処理が省かれるため、着信動作や発呼動作に表示制御コマンドが含まれている場合でも、その表示制御コマンドがリアルタイムで中継転送される。
【００８０】
［実施の形態の拡張］
以上の各実施の形態では、前述の図２に示したように、電話機インターフェース装置１に制御装置Ｉ／Ｆ部１１と電話機Ｉ／Ｆ部１２とを設けて、制御装置７と基地局装置２とをそれぞれ伝送路３Ａ，３Ｂを介して個別に接続する場合を例として説明したが、制御装置７および基地局装置２がそれぞれ共通したインターフェースを有する場合、制御装置Ｉ／Ｆ部１１と電話機Ｉ／Ｆ部１２を１つのインターフェース部で実現できる。例えば、制御装置７および基地局装置２が共にＬＡＮインターフェースを有する場合、伝送路３Ｂに制御装置７、基地局装置２および電話機インターフェース装置１を共通して接続し、電話機インターフェース装置１がサーバとなって、制御装置７および基地局装置２が電話機インターフェース装置１へアクセスする構成をとってもよい。
【００８１】
また、以上の各実施の形態では、前述の図１に示したように、電話機インターフェース装置１を、制御装置７や基地局装置２とは独立した別個の装置で構成した場合を例として説明したが、これに限定されるものではない。例えば、電話機インターフェース装置１を１つの機能部として制御装置７やいずれかの基地局装置２に組み込んでもよい。
また、以上では、制御装置７がＶｏＩＰの通話回線９に接続される場合を例として説明したが、これに限定されるものではなく、アナログ回線やＩＳＤＮ回線であっても前述と同様にして各実施の形態を適用できる。
【図面の簡単な説明】
【００８２】
【図１】本発明の第１の実施の形態にかかる電話システムの構成を示すブロック図である。
【図２】本発明の第１の実施の形態にかかる電話システムの電話機インターフェース装置の構成を示すブロック図である。
【図３】本発明の第１の実施の形態にかかる電話機インターフェース装置で用いるＭＡＰ情報の構成例である。
【図４】本発明の第１の実施の形態にかかる電話機インターフェース装置で用いるフラグ情報の構成例である。
【図５】本発明の第１の実施の形態にかかる電話機インターフェース装置でのコマンド受信処理を示すフローチャートである。
【図６】本発明の第１の実施の形態にかかる電話機インターフェース装置でのＭＡＰ配信処理を示すフローチャートである。
【図７】本発明の第１の実施の形態にかかる電話システムの動作を示すシーケンス図である。
【図８】本発明の第１の実施の形態にかかる電話システムの動作例を示すシーケンス図である。
【図９】本発明の第２の実施の形態にかかる電話システムの動作を示すシーケンス図である。
【図１０】本発明の第３の実施の形態にかかる電話機インターフェース装置でのコマンド受信処理を示すフローチャートである。
【図１１】本発明の第３の実施の形態にかかる電話システムの着信動作を示すシーケンス図である。
【図１２】本発明の第３の実施の形態にかかる電話システムの発呼動作を示すシーケンス図である。
【符号の説明】
【００８３】
１…電話機インターフェース装置、１１…制御装置Ｉ／Ｆ部、１２…電話機Ｉ／Ｆ部、１３…記憶部、１３Ａ…ＭＡＰ情報、１３Ｂ…フラグ情報、１３Ｐ…プログラム、１４…制御部、１４Ａ…コマンド分配部、１４Ｂ…コマンド選択部、１４Ｃ…エミュレーション部、１４Ｄ…表示状態情報配信部、１４Ｅ…コマンド転送部、２，２Ａ，２Ｂ…基地局装置、３，３Ａ，３Ｂ…伝送路、４，４Ａ，４Ｂ，４Ｃ…無線伝送路、５，５Ａ，５Ｂ，５Ｃ…無線電話機、６，６Ａ，６Ｂ…無線エリア、７…制御装置、８…電話網、９…通話回線。
【図１】
2006203698.tif 000003
【図２】
2006203698.tif 000004
【図３】
2006203698.tif 000005
【図４】
2006203698.tif 000006
【図５】
2006203698.tif 000007
【図６】
2006203698.tif 000008
【図７】
2006203698.tif 000009
【図８】
2006203698.tif 000010
【図９】
2006203698.tif 000011
【図１０】
2006203698.tif 000012
【図１１】
2006203698.tif 000013
【図１２】
2006203698.tif 000014